(57)【要約】【課題】安全性が高く、経済性に優れると同時に、栄養源の生成速度が速く、採苗効率が極めて高く安定し、その上、環境への設置時期も産卵時期に左右されない、貝類の、卵および幼生の付着成長促進材を提供する。【解決手段】不要付着物と貝類との分離用のネット部と、着卵部となる外套材と、腐葉土、炭素材および鉄材を含む鉄供給部とからなり、該炭素材と該鉄材の少なくとも一部を接触させる構造とする。【選択図】図１０
2017046593.tif 000002
【特許請求の範囲】
【請求項１】
不要付着物と貝類との分離用のネット部と、着卵部となる外套材と、腐葉土、炭素材および鉄材を含む鉄供給部とからなり、該炭素材と該鉄材の少なくとも一部が接触している貝類の、卵および幼生の付着成長促進材。
【請求項２】
前記鉄材が、酸素含有量：１質量％以下である請求項１に記載の貝類の、卵および幼生の付着成長促進材。
【請求項３】
前記鉄材が、Ｆｅ含有量：５質量％以上である請求項１または２に記載の貝類の、卵および幼生の付着成長促進材。
【請求項４】
前記炭素材の電気伝導度が体積抵抗率で１０３Ω・ｃｍ以下である請求項１〜３のいずれかに記載の貝類の、卵および幼生の付着成長促進材。
【請求項５】
前記炭素材が、炭素繊維強化プラスチック、膨張黒鉛シート、木炭、黒鉛材、炭素材、竹炭、炭素繊維および炭素系導電性塗料のうちから選んだ少なくとも１種である請求項１〜４のいずれかに記載の貝類の、卵および幼生の付着成長促進材。
【請求項６】
前記外套材が麻布、ヤシ繊維製布、起毛処理した織物、繊維間空隙の有る織物および不織布、メッシュ地、タオル、メリヤスおよびニット、電植した織物あるいは不織布のうちから選んだ少なくとも１種からなる請求項１〜５のいずれかに記載の貝類の、卵および幼生の付着成長促進材。
【請求項７】
前記炭素材および前記鉄材を、前記鉄供給部の中心とし、その外周に前記腐葉土を配置する請求項１〜６のいずれかに記載の貝類の、卵および幼生の付着成長促進材。
【請求項８】
前記鉄供給部を、前記付着成長促進材の中心とし、その外周に外套材を配置する請求項１〜７のいずれかに記載の貝類の、卵および幼生の付着成長促進材。
【請求項９】
前記ネット部が、伸縮性を有する網、結節網、無結節網および成型網のうちから選んだ少なくとも１種からなる請求項１〜８のいずれかに記載の貝類の、卵および幼生の付着成長促進材。
【請求項１０】
請求項１〜９のいずれかに記載の貝類の、卵および幼生の付着成長促進材を、汽水域および海中のうち、少なくとも１箇所に吊り下げて貝類、卵および幼生の採苗を行う貝類の採苗方法。
【請求項１１】
請求項１０に記載の方法により採苗された貝類の、卵および幼生を、請求項１〜９のいずれかに記載の貝類の、卵および幼生の付着成長促進材の鉄イオン溶出範囲内に設置して養殖を行う貝類の養殖方法。
【請求項１２】
前記付着成長促進材のネット部と外套部を切り離して養殖を行う請求項１１に記載の貝類の養殖方法。
【発明の詳細な説明】
【技術分野】
【０００１】
本発明は、鉄分を適度に供給することを利用し、汽水域や海中に吊り下げて、貝類の採苗（付着）や成長場所として最適な環境を作り出す、貝類の、卵および幼生の付着成長促進材、並びにそれを用いた貝類の採苗方法および養殖に関するものである。
【背景技術】
【０００２】
「森は海の恋人」という言葉がある。この言葉は、海が森から流れ込む鉄分によって活性化していることを端的に表した言葉である。しかし、現実の日本の海は、世界第６位の海域を保有していながら、貧血状態で磯焼けが起って、コンブが不作となり、魚介類も不漁となっている。これらの要因は、様々であるが、森から流れ込む鉄分不足もその一つである。
【０００３】
一方、海の中に植物が繁茂しない海域が、地球上には存在する。その海域は、窒素やリンが豊富に存在するのに、植物プランクトンが増えないため、クロロフィル濃度が低い傾向にある。これは、微量栄養素の鉄分の不足が要因である。
従って、鉄分を供給することは、植物プランクトンを増やし、それを餌とするエビ、牡蠣、貝類を殖やし、さらには、コンブや海藻を繁殖させることを可能にする。
【０００４】
例えば、牡蠣について言うと、牡蠣は、７月末〜８月末頃に放卵する。そして、一旦、海中に放出された牡蠣卵は、幼生となるが、これら、牡蠣卵や牡蠣の幼生は、付着物を求めながら、海中を浮遊している。
【０００５】
この海中を浮遊している牡蠣卵や牡蠣の幼生を捉えるべく、牡蠣養殖関係の間で広く使用されている付着物（着卵材）は、ホタテガイの貝殻である。その他にも、陶器やプラスチックなどがあるが、使用例は少ない。また、天然牡蠣は、磯、岩礁、護岸コンクリートなどにも付着することがある。
【０００６】
ここで、ホタテガイの貝殻は、安価であって、平板状の形状を有し、水産廃棄物の有効利用や、天然物、生き物に安全である。また、使用後の廃棄処理が容易であるなどの点を有するので広く使用されている。そして、その使用方法は、ホタテガイの貝殻を水中につり下げることで、牡蠣の卵や幼生が付着する性質を活用したものである。
【発明の概要】
【発明が解決しようとする課題】
【０００７】
上述したように、牡蠣卵の着卵用として一般的に使用されている付着材は、ホタテガイの貝殻である。これの使用上の問題点を列記する。
（１）  形状の自由度がない。
（２）  原盤である貝殻表面の洗浄度が重要である。
（３）  有用な牡蠣のみを付着させられない。
（４）  設置時期が極めて限られている。
特に、上記（４）に記載したように、付着材を設置できる日は、１年間のうち、数日と、限られている上に、その日を決めるのは、長年の経験が不可欠であって、その日を外してしまうと、その後ほぼ１年間は、牡蠣の着卵が望めないのが現状である。
また、フジツボ等、他の付着物もあり、牡蠣よりも先にフジツボ等が占有すると、現行の付着材では、使用不可となってしまう。
【０００８】
また、貝類の放卵は、貝類が棲息する場であるならば発生しているはずであるにもかかわらず、貝類の卵を着卵させて、それを稚貝にまで成長させることができるのは、極限定された地域でしかない上に、その着卵および稚貝にまで成長させることは、長年の経験のみならず、着卵させる技術を保持していないとできない特殊な作業である。
【０００９】
加えて、牡蠣の放卵は、水温が２３℃以上で、シケや、暴風、嵐、台風などの牡蠣への外的ストレスが付加された時に起こるといわれているため、着卵材の設置には危険も伴う。
【００１０】
その上、ホタテガイの貝殻には、牡蠣の幼生の餌となるプラントンを増殖したり、卵や幼生を積極的に引き寄せたり、付着した幼生や稚貝の成長を促進させたりする機能は、保持していない。
従って、これらの動的な機能を有する貝類の付着材の開発は、牡蠣養殖業者にとって、最大の要望であった。
【００１１】
本発明は、上記した現状に鑑み開発されたもので、安全性が高く、経済性に優れると同時に、栄養源の生成速度が速く、採苗効率が極めて高く安定し、その上、環境への設置時期も産卵時期に左右されずに、牡蠣以外の不要付着物は容易に除去されるという、優れた特性を有する、貝類の、卵および幼生の付着成長促進材並びにそれを用いた貝類の採苗方法および養殖方法を提供することを目的とする。
【課題を解決するための手段】
【００１２】
発明者らは、上記した要望を実現するべく、種々の実験を試みた。以下、本発明を完成に至らしめた種々の実験について説明する。
【００１３】
［牡蠣の付着現象］
発明者らは、とある汽水湖（以下、湖Ａという）で、イカダから吊り下げた炭素繊維織物に、成長した牡蠣が付着していることに気付いたが、当時、牡蠣の付着は、再現性のあるものではなく、極めてまれな現象であった。
【００１４】
また、他の海域（以下、海Ａという）での実験でも、同様の現象が見られた（上記実験とほぼ同様の時期）。すなわち、海Ａの海岸付近に実験用のイカダを設置して、炭素繊維織物を吊り下げたところ、成長した牡蠣が付着していた。しかしながら、その付着数は少なく、偶然の現象であると考えていた。湖Ａ、海Ａともに、同じ場所での再現性がなく、付着した牡蠣の数量も少なかったからである。
また、自然界での牡蠣は、護岸コンクリートなどにも付着することがあり、それと同じように起こった現象と考えていた。
【００１５】
その後、別の汽水湖（以下、湖Ｂという）内の牡蠣養殖イカダから炭素繊維織物の中に鉄材をいれた鉄供給材（発明者らの開発品：特願２０１２−１６８８４９）を湖中に吊り下げた。そして約８ケ月後、鉄供給材の表面には、明らかな牡蠣の付着とその成長が認められた。そこで、炭素繊維に牡蠣が付着することの再現性を取るべく、翌年に再度、同様のつり下げを行った。設置してから１４ケ月後、設置した試料を引きあげたところ、牡蠣の付着と成長が確認できた。
【００１６】
さらに、別の湾岸域（以下、湾Ａという）で、牡蠣の着卵実験を実施した。設置した試料は、上記湖Ｂでの実験で、牡蠣養殖用イカダから吊り下げ、牡蠣の付着成長が確認された鉄供給材（炭素繊維織物の中に鉄板を挿入した物）と同じ構成にした。この鉄供給材を、湾Ａ内の４か所に吊り下げたが、その時は、牡蠣の付着成長は全く認められなかった。
【００１７】
そこで、１年後に再度、湾Ａで、同様の試料を吊り下げてリベンジを試みた。しかし、７月末に試料設置後、毎週定期的に鉄供給材を海水から引き上げて観察したものの、牡蠣の付着は観察できなかった。
【００１８】
そこで、発明者らは、何故、ある汽水湖では牡蠣が成長したのに、湾Ａ内では、牡蠣の成長が認められないのかについて検討をした。
両者の水質と、自然条件を比較して表１に示す。また、発明者らがこれまでに取り組んできた他場所での水質や、自然条件と、牡蠣の付着状況を表１に併記する。
【００１９】
【表１】
2017046593.tif 000003
【００２０】
表１に示したように、湖Ｂは、汽水湖で、海への開口部が３０ｍ程度しかなく、湖水の動きが少なくて、湖水はほぼ停滞状態になっている。また、湖周辺からの生活排水等の流入もあり、湖Ｂは、富栄養化が進行している。そのため、湖Ｂにはアカシオがしばしば発生している。このように、湖Ｂは、富栄養状態でプランクトン濃度が高いことから、牡蠣の成長速度が大きく、１年半程度で出荷できる程度まで成長することが分かる。
【００２１】
他方、湾Ａは、外洋と接していて、潮の流れも激しく、イカダ内部でも、川のごとく海水の流れている状態が観察される場所であった。そのため、吊り下げている養殖用の耳吊り牡蠣は、斜めになっている位である。
牡蠣の放卵現象は、湾Ａでも確認されているが、海水の流れが激しいので、卵の付着する確率は極めて低いと、地元の牡蠣養殖関係者は話している。あるいは、一旦、牡蠣卵や幼生は試料に付着したものの、激しい海水の流れによって、牡蠣卵は剥離するなどし、結果として、牡蠣の付着が認められないという可能性も考えられた。
【００２２】
また、わずかではあるが牡蠣の付着が認められた海Ａや湖Ａの水環境は、湖Ｂとも湾Ａとも異なっていた。
すなわち、湖Ａは、汽水湖であって、富栄養化に近い状態であるが、干潮、満潮が繰り返されていることや、河川水の流入などがあって、湖水の入れ替えは常に行われている。他方、海Ａの海域は、湾からつながり、海水の動きが常に行われている。水質は、外洋にくらべれば富栄養化が進んでいるものの、湖Ａや湖Ｂと比べれば、富栄養化が進んでいるとはいえない。
これらのことから、鉄供給材を用いた場合に、牡蠣卵が付着状態を持続するには、海水等の周辺流が少なく、滞留状態に近いことが望まれる、すなわち、上記した鉄供給材では、海水の動きの少ない海域環境等、様々な環境条件が整って初めて、着卵等の効果が得られていることが分かった。
【００２３】
従って、上記の実験結果は、発明者らが開発した鉄供給材の適用場所が、海水の動きが少なく、滞留しやすい水域、牡蠣の餌となるプランクトンが豊富である水域に限られてしまうことを意味している。また、鉄供給材の設置時期について言えば、放卵直前に設置することで、牡蠣以外の付着を可能な限り少なくすることが求められる。
【００２４】
また、ホタテガイの貝殻への付着物としては、牡蠣以外にも、フジツボや、食用に適さない各種二枚貝、ホヤ等が付着するが、この中で、特に、有用な貝類の卵の付着に悪影響を及ぼすのは、フジツボである。
従って、着卵材に要求される機能としては、フジツボが付着しない、あるいは、付着したフジツボが直ぐに剥離する、さらにはフジツボと牡蠣とが分離される、などがさらに考えられるが、上記した鉄供給材は、そのような機能を有していない。
【００２５】
すなわち、これから望まれる貝類の養殖用の卵の付着材は、次の要件を満足することが求められるのである。
（１）  安価であること
（２）  安全であること
（３）  水中を浮遊する卵あるいは幼生を誘因すること
（４）  貝類の卵あるいは貝類の幼生が付着しやすく、取れにくいこと
（５）  餌となるプランクトンの生産を促進してプランクトン濃度を高めること
（６）  フジツボや不要付着物が付着しにくいこと
（７）  フジツボや不要付着物との分離ができること
（８）  使用後の廃棄が容易であること
（９）  形状の自由度があること
（１０）  成貝となり、出荷する際には、取り除きやすいこと
（１１）  取り扱いが容易であること
【００２６】
発明者らが上記付着材にかかる要件を鋭意検討した結果、栄養源として最適なフルボ酸鉄を生成するために、フルボ酸を含む物質として腐葉土を選択し、さらに、鉄イオンの発生源として鉄材と炭素材とを接触させて用い、その上で着卵部として外套材を備えることによって、最も経済的にフルボ酸鉄を生成させることができると共に、産卵時期にかかわらず設置することができ、さらには、貝類の成長促進効果もあるという、貝類の卵および貝類の幼生の、付着成長促進材が得られることが分かった。
本発明は、上記知見に基づきさらに検討を重ねて完成されたものである。
【００２７】
すなわち、本発明の要旨構成は次のとおりである。
１．不要付着物と貝類との分離用のネット部と、着卵部となる外套材と、腐葉土、炭素材および鉄材を含む鉄供給部とからなり、該炭素材と該鉄材の少なくとも一部が接触している貝類の、卵および幼生の付着成長促進材。
【００２８】
２．前記鉄材が、酸素含有量：１質量％以下である前記１に記載の貝類の、卵および幼生の付着成長促進材。
【００２９】
３．前記鉄材が、Ｆｅ含有量：５質量％以上である前記１または２に記載の貝類の、卵および幼生の付着成長促進材。
【００３０】
４．前記炭素材の電気伝導度が体積抵抗率で１０３Ω・ｃｍ以下である前記１〜３のいずれかに記載の貝類の、卵および幼生の付着成長促進材。
【００３１】
５．前記炭素材が、炭素繊維強化プラスチック、膨張黒鉛シート、木炭、黒鉛材、炭素材、竹炭、炭素繊維および炭素系導電性塗料のうちから選んだ少なくとも１種である前記１〜４のいずれかに記載の貝類の、卵および幼生の付着成長促進材。
【００３２】
６．前記外套材が麻布、ヤシ繊維製布、起毛処理した織物、繊維間空隙の有る織物および不織布、メッシュ地、タオル、メリヤスおよびニット、電植した織物あるいは不織布のうちから選んだ少なくとも１種からなる前記１〜５のいずれかに記載の貝類の、卵および幼生の付着成長促進材。
【００３３】
７．前記炭素材および前記鉄材を、前記鉄供給部の中心とし、その外周に前記腐葉土を配置する前記１〜６のいずれかに記載の貝類の、卵および幼生の付着成長促進材。
【００３４】
８．前記鉄供給部を、前記付着成長促進材の中心とし、その外周に外套材を配置する前記１〜７のいずれかに記載の貝類の、卵および幼生の付着成長促進材。
【００３５】
９．前記ネット部が、伸縮性を有する網、結節網、無結節網および成型網のうちから選んだ少なくとも１種からなる前記１〜８のいずれかに記載の貝類の、卵および幼生の付着成長促進材。
【００３６】
１０．前記１〜９のいずれかに記載の貝類の、卵および幼生の付着成長促進材を、汽水域および海中のうち、少なくとも１箇所に吊り下げて貝類、卵および幼生の採苗を行う貝類の採苗方法。
【００３７】
１１．前記１０に記載の方法により採苗された貝類の、卵および幼生を、前記１〜９のいずれかに記載の貝類の、卵および幼生の付着成長促進材の鉄イオン溶出範囲内に設置して養殖を行う貝類の養殖方法。
【００３８】
１２．前記付着成長促進材のネット部と外套部を切り離して養殖を行う前記１１に記載の貝類の養殖方法。
【発明の効果】
【００３９】
本発明によれば、安全性が高く、経済性に優れると同時に、採苗効率が極めて高く、従来自然採苗ができなかった地域であっても、貝類の、卵および幼生の付着場所とすることができる。
また、本発明によれば、設置時期に関し、産卵時期に左右されないため、その時期管理等が極めて簡便になり、安定して円滑な貝類の養殖を行うことができる。
【図面の簡単な説明】
【００４０】
【図１】炭素繊維が、貝に対して誘因作用（蝟集作用）を示す様子を観察した写真である。
【図２】引きはがした牡蠣の、炭素繊維織物との付着面を観察した写真である。
【図３】海中に吊り下げておいた炭素繊維織物を観察した写真である。
【図４】貝を剥がし取った後の炭素繊維織物を観察した写真である。
【図５】本発明に用いるネット部形状の一例を示した図である。
【図６】(a)および(b)は、本発明に用いるカゴ型のネット部形状を示した図である。
【図７】本発明に用いる筒型のネット部形状を示した図である。
【図８】本発明に用いるハニカム構造の例を示した図である。
【図９】(a)および(b)は、本発明に用いる立体ネットの実例を示した図である。
【図１０】(a)および(b)は、本発明に従う付着成長促進材の構造を示した図である。
【図１１】(a)〜(f)は、本発明における牡蠣の付着成長促進の各ステージを説明した図である。
【図１２】(a)〜(e)は、本発明に従う付着成長促進材の設置例を示した図である。
【図１３】付着材中に含まれる鉄材（左）と木炭粒（右）を示した写真である。
【図１４】付着材の外観を示した写真である。
【図１５】ネットに付着している牡蠣を示した写真である。
【図１６】ネットにからみついている牡蠣を示した写真である。
【図１７】牡蠣と麻袋上の貝類とをつなぐ足糸を示した写真である。
【図１８】牡蠣と麻袋上の貝類とをつなぐ足糸を示した他の写真である。
【図１９】(a)および(b)は、付着成長促進材に付着した二枚貝を示した写真である。
【発明を実施するための形態】
【００４１】
以下、本発明を具体的に説明する。
本発明は、着卵部となる外套材と、腐葉土、炭素材および鉄材を含む鉄供給部および不要付着物と貝類との分離用のネット部とからなり、該炭素材と該鉄材との少なくとも一部が接触していることを特徴とする、貝類の、卵および幼生の付着成長促進材（以下、付着成長促進材、または単に、付着材という）に関するものである。なお、以下の説明は、牡蠣を主に説明しているが、足糸を有し、外套材と交織性を有する貝類であれば、本発明は同様の効果を発現する。
【００４２】
まず、本発明の主たる構成材（外套材、腐葉土、炭素材、鉄材およびネット）の機能を説明する。
［炭素材による貝の誘因作用］
炭素材は、貝類を引き寄せる性質を持つ。例えば、前記湖Ａの湖岸近くに炭素繊維束をつり下げて、１０分後に、この炭素繊維束を引き上げると、手にぶつぶつを感じるほどに、小さな巻き貝（１ｍｍ程度の大きさ）がビッシリと付着していた。これらの巻き貝は、炭素繊維束を湖岸底に置いただけで、瞬時に集まったのである。すなわち、炭素繊維は、貝に対して誘因作用（蝟集作用）を示すことが分かる。その様子を、図１に示すが、同図より、多数の貝が付着していることが分かる。
【００４３】
［足糸による貝の付着］
牡蠣は、足糸をもち、それによって強固に付着することができる。炭素繊維織物に付着した牡蠣をはがす時に、力をいれてはぎ取ると、バリバリと引きはがす音が発生した。その位、強固であった。また、引きはがした牡蠣の、炭素繊維織物との付着面を観察すると、ひき裂かれた炭素繊維織物が観察された。その様子を、図２に示す。
なお、牡蠣以外の貝が炭素繊維織物に対して示す強固な付着力は、別の実験でも確認している。
【００４４】
ついで、炭素繊維織物を、前述の海Ａに吊り下げておいたところ、沢山の貝が付着していた。長さ：５ｍ、幅：１５ｃｍの炭素繊維織物の全面に隙間なくびっしりと貝が付着していた（図３）。
炭素繊維織物を示した図４は、一部貝が付着しているが、その他の貝は強制的にはがし取ったため、足糸の集合体が確認できる。同図から、不織布のように足糸が絡み合っていることが分かる。これは、炭素繊維織物に貝が付着し、足糸を出しながら成長を続け、足糸マットが出来上がった様子が伺える結果である。従って、炭素繊維織物は、貝の足糸の固定材としての機能も有することが分かるが、前述したように、流れの早いところでは、その付着力が十分ではない。
【００４５】
［牡蠣の成長促進］
牡蠣の成長を促進するには、餌となるプランクトンの供給を円滑に行うと共に栄養源を必要な地点だけに供給することが肝要である。このためには、プランクトンの生成源となる栄養成分が必要である。また、栄養源は、安全なモノでなければならない。そのために、本発明では、栄養源として、フルボ酸鉄を用い、栄養源の生成原料として天然物である腐葉土を用いている。
【００４６】
腐葉土中で生成したフルボ酸は、鉄とキレート結合によって反応し、フルボ酸鉄が生成する。フルボ酸と反応することによって無機から有機化した鉄などのミネラルは、植物の根から吸収され、動植物の生体内にフルボ酸複合体として存在する。また、フルボ酸は、鉄と結合することで、その機能を飛躍的に高めるとともに、細胞への吸収力を高める。
本発明では、フルボ酸が腐葉土中に存在しているため、鉄材／炭素材の近傍に腐葉土を配置するだけで、溶出したフルボ酸と金属とが反応して、効率的にフルボ酸鉄が生成するのである。
【００４７】
［プランクトンの高密度化］
水中のプランクトン濃度を高めるには、プランクトンの生成を促進する二価鉄イオンを水中に生成することが有効であることが知られている。しかしながら、プランクトンの生成には、長時間、二価の鉄イオンであることが望まれるところ、通常の二価鉄イオンは、すぐに酸化されて三価の鉄イオン、さらに水酸化鉄や、酸化鉄に変化してしまう。そこで、発明者らは、長寿命の二価鉄イオンを生成するために腐葉土と鉄と炭素材とから構成された鉄供給材を開発している（特願２０１３−８０４５５）。
この鉄供給材を、岩手県山田湾内の牡蠣養殖用イカダに吊り下げ、非設置のイカダとの水中のプランクトン濃度を測定した。鉄供給材をつり下げたイカダの方が、プランク濃度は高となっていた。（化学経済誌、２０１３年９月号）
本発明では、上記鉄供給材を鉄供給部として用いる。
【００４８】
［ケバ立ち表面をもち、牡蠣の足糸と交織できる材料］
魚貝類の炭素繊維への付着は、これまでの各種実験から確認されている。例えば、水槽内で飼育しているメダカは、水草よりも炭素繊維に産卵した。また、湖Ｃに設置した炭素繊維には、魚類の産卵が多数認められたものの、同一場所にあった水草や他の素材（ナイロンやポリエステル）には産卵しなかった。
【００４９】
いままでの実験から、炭素繊維への牡蠣卵の付着は、認められたが、木炭や黒鉛板などでは、産卵は認められなかった。これは、炭素素材の表面形状に起因する。炭素繊維は極細繊維であり、織物状となってもケバたちがあり、それに卵は付着する。木炭や他の炭素材では、繊維状のケバたちはないことから、付着現象は見られない。
【００５０】
従って、前述したように、湾Ａや湖Ａで観察された牡蠣稚貝の付着は、いずれも木炭／鉄材／腐葉土を入れた麻袋の表面上に発生した。麻袋からは麻繊維のケバ立ちが顕著であり、このケバによって卵あるいは幼生が付着したものと考えられる。
【００５１】
貝の付着は、糸の束のようなものでできた「足糸」と呼ばれる足場によって、水中で岩等の表面にしっかりと接着する。この糸の先は接着性のプラークで、耐水性の糊を含んでおり、それが貝を堅い表面に強く固着することを可能にしている。
【００５２】
牡蠣でも同様の足糸によって付着している。しかしながら、特に幼生の時は、足糸が細く、本数も少ない。そこで、付着材の表面は、足糸と絡み合うことができる、交織できることが必要である。平滑な平面状よりも、ケバ立ちがあって、起毛があり、さらに凹凸のあるものが、有効である。
【００５３】
また、牡蠣は、貝殻の形状を付着物に合わせて変形させることで、剥離・除去されずに、付着物に固定できる状態を構築している。従って、牡蠣を付着させるためには、足糸と絡み合うことができる、交織できるケバ立ちをもつ繊維素材であることが望まれる。本発明では、特に、上記した着卵部となる機能を有する素材を、外套材という。
【００５４】
以上の知見に基づき、発明者らは、プランクトンの成長を促進する性質をもち、牡蠣卵や、牡蠣の幼生が付着でき、さらにはそれを成長させるという機能材を作製することに成功した。それは、長寿命の二価鉄イオンを生成できる木炭と鉄材と腐葉土を麻袋に入れ、さらに、その周囲をネットでカバーしたものであり、本発明に従う付着成長促進材（付着材）である。
【００５５】
［付着成長促進材］
前記した湾Ａの牡蠣養殖イカダに、上記付着材を牡蠣養殖用イカダから吊り下げた。この付着材は、木炭と鉄材と腐葉土を、外套材である麻袋に入れ、さらに、その周囲をネットでカバーした構成としたものであった。
【００５６】
２ケ月後、付着材を引き上げたところ、設置４か所のなかの３か所、設置個数８０枚の中の３枚に、合わせて１０個の牡蠣稚貝の存在が確認された。海水の流れの激しい湾Ａであっても、前記した外套材を用いることで、牡蠣卵あるいは幼生の付着成長は可能であることが確認できた。
【００５７】
また、前記した湖Ａに設置してある実験用イカダから、木炭と鉄材と腐葉土を麻袋に入れた本発明の付着材を吊り下げた。この付着材は、湾Ａで牡蠣稚貝の付着が確認されたものと同一の構造である。その後、１〜３ケ月後に、さらに新規に、付着材をイカダから吊り下げた。
【００５８】
最初の付着材を吊り下げた時から４ケ月後に、全ての付着材を引き上げた。すると、最初に設置した付着材に最も多くの牡蠣が付いていたが、１ケ月後の設置品にも牡蠣の付着が認められた。これは、わずか数日間しか無い、現在の採苗器投入期間に比べて、本発明の付着材の投入期間が、飛躍的に長い裕度を有していることを意味している。
【００５９】
［フジツボと牡蠣との分離］
前述したように、牡蠣と共に、フジツボや食用に適さない貝類など不要付着物も、付着材に付着してしまうが、フジツボ等不要付着物が付着せず、牡蠣のみが付着する付着材は、現時点では見出すことはできていない。
そこで、本発明では、フジツボ等と牡蠣の分離を行うことができる機能を追加できるようにした。すなわち、フジツボ等と牡蠣の分離を、外套材の外側に備えた不要付着物と貝類（牡蠣）との分離用のネットを用いて行えるようにしたのである。
【００６０】
ここで、フジツボと牡蠣とでは、成長速度や、形状、大きさ、基材との付着メカニズムがいずれも異なっている。
例えば、フジツボより牡蠣の方が成長速度は大であり、フジツボは、付着後２ケ月で、太さ：１ｃｍ程度、高さ：１ｃｍ程度に留まるのに対し、牡蠣は、周囲に妨害物がなければ２〜３ｃｍにも成長するのである。
【００６１】
また、牡蠣は、足糸で基材と付着しているが、フジツボは石灰質の分泌物で基材と付着している。そして基材との付着力は、フジツボの方が大である。このことは、麻袋に付着している牡蠣とフジツボとを取り出し、水道水の流れの中で、軽く上下左右に動かすだけで、牡蠣が取り除かれ、フジツボのみとなることから確認できる。
さらに、牡蠣は、近傍に自らを固定できるモノがあれば、その形状に合わせて変形し、付着することができる。
【００６２】
発明者らは、このような性質の差を利用し、外套材の外側にネットを置き、後述する６つのステージを経ることで、フジツボと牡蠣との分離に成功したのである。
なお、牡蠣の産卵時期とフジツボの生成時期とはほぼ同じである。従って、付着成長促進材を、牡蠣の放卵時よりも前から設置しておくと、フジツボが優先的に付着し、その後、放出された牡蠣の卵は、付着成長促進材に付着しにくくなる。そのため、付着成長促進材は、牡蠣の産卵直前に設置することが好ましい。
【００６３】
次に、本発明の構成材を説明する。
［付着成長促進材の構成］
本発明の付着成長促進材は、上記機能を有すると共に、不要付着物と貝類との分離用のネット部と、着卵部となる外套材と、腐葉土、炭素材および鉄材を含む鉄供給部とからなる。ここで、本発明の付着成長促進材の構成と機能との関係を表２に示す。
【００６４】
【表２】
2017046593.tif 000004
【００６５】
［鉄供給部］
本発明の鉄供給部は、腐葉土、炭素材、鉄材を主要構成材とし、必要に応じて鉄供給部の形状保持材や、鉄材と炭素材の接触を維持させる固定材等を用いることができる。
上記鉄供給部のうち、鉄材は、環境汚染物質を含まないものであれば、鋼、鋳鉄でも問題なく使用することができる。また、その形状は、板状、棒状、筒状、角材、Ｌ型鋼、粒状、粉状および塊状のいずれでも問題なく使用することができる。
【００６６】
また、本発明で使用する鉄材は、酸素含有量が１質量％以下であって、鉄成分、すなわち金属鉄が含まれていれば、特に材質は制限されず、鉄ニッケル合金などＦｅを含む合金で有っても良いが、環境への溶出物質を考えると、純鉄であることが最も望ましい。
【００６７】
さらに、本発明に用いられる金属鉄を含む鉄材は、Ｆｅ含有量が５質量％以上であることがより好ましい。フルボ酸鉄の生成が効果的に行える鉄イオンの溶出量が確保できるからである。
【００６８】
加えて、本発明で使用する鉄材は、炭素材との接触面積が大きいことが求められているので、平面、あるいは曲面をもつ板状および筒状の形状を有することが望ましい。特に、棒状の鉄材の利用が好ましい。また、フィルム状鉄板も期間限定であるならば利用可能である。
【００６９】
他方、炭素材は、炭素繊維強化プラスチック、膨張黒鉛シート、木炭、黒鉛材、炭素材、竹炭および炭素繊維、のうちから選んだ少なくとも１種が好ましく、炭素系導電性塗料なども使用可能であり、炭素成分が含まれていれば、特に材質は制限されず、黒鉛構造炭素が含まれていても良い。
【００７０】
すなわち、上記炭素材は、鉄イオンの溶出量や設置場所等に応じて、その純度や形状を適宜選択することができ、炭素繊維からなる織物であっても良いが、波浪などの激しい海域で使用する場合には、耐久性が重要であるため、炭素繊維強化プラスチックが望ましい。さらに、波浪の激しくない制限された海域であるならば、膨張黒鉛シートからつくられた炭素材シートや、木炭、黒鉛材、炭素材、竹炭などを用いることができる。また、炭素成分を含んだ導電性のゴムや黒鉛含有塗料なども使用可能である。そして、これらの炭素材を用いた場合、炭素材に対する貝類の付着能力が乏しいので、外套材の貝類付着機能がより有効に発揮される。
【００７１】
また、本発明で使用する炭素材の電気伝導度は、体積抵抗率で１０３Ω・ｃｍ以下であることが好ましい。というのは、鉄イオンの溶出量が制御しやすいからである。
【００７２】
さらに、本発明で使用する炭素材の形状は、上記した鉄材と接触可能であるならば特に制限はないものの、鉄材との接触面積が大きいことが望まれるので、粉や粒形状よりは、板状、フィルム状である方が好ましい。
【００７３】
本発明に用いる腐葉土は、広葉樹が一般的で、水中に入れた際に、フルボ酸を生成するものであれば、土以外のものでも可能である。
なお、腐葉土は、森林生態系において地上部の植物により生産された有機物が朽木や落葉・落枝となり地表部に堆積し、それを資源として利用するバクテリアなどの微生物やミミズなど大小様々な土壌動物による生化学的な代謝作用により分解（落葉分解）されて土状になったものなので、厳密に言うと土ではないが、一般に、腐葉土または腐植土と呼ばれるものである。
【００７４】
また、自然にできた腐葉土は、成分が窒素に偏っていることが多いが、燐酸やカリウムなどはミミズ、その他の動物の糞や微生物などの働きによって補われることがある。なお、人工的に作られた腐葉土は、成分が人工的に調整されているが、本発明への使用に問題はない。
【００７５】
ここで、腐葉土になりやすい葉は、落葉樹や、広葉樹など、油分が少なく発酵しやすい種類で、杉、松などの油分が多い葉は腐葉土になりにくい。
自然にできた腐葉土は、発酵して出来上がるのに１〜２年以上かかるが、人工的に作る場合は、米糠などを使って発酵しやすい環境を作る。そのため出来上がるまでの期間は２ケ月程まで縮まる。なお、腐葉土中の鉄含有量は、購入した腐葉土中の鉄含有量をＸ線分析装置で測定した結果、０．５質量％程度であった。
【００７６】
このように、腐葉土の性質は、原料、製造方法によって、性状が異なるが、最適な腐葉土を選定することが重要である。
具体的に、腐葉土は、シイノキ、シラカシ、アラカシ、ブナ、クヌギ、コナラ、クリなど葉肉が厚く、広葉樹の落ち葉を堆積して適度に発酵させたものが好ましい。使用する状態は、手でもむと、直ぐにくずれる程度に発酵したものがよく、コナラ、クリなどブナ科の落ち葉を使ったものが特に最良である。さらに、ミネラル成分として、海藻の成長にとって必須元素である、鉄、カリウム、カルシウム、マグネシウムなどを含むものが好ましい。
発酵が不十分な腐葉土では、フルボ酸の含有量が少なく、フルボ酸鉄発生効果が少ない。一方で、完熟状態になると、無酸素状態が作りにくくなって、以下に述べる効果が低下する場合がある。
【００７７】
本発明では、炭素材と鉄材との反応によって水酸化鉄および／または酸化鉄が生成するが、この生成した水酸化鉄および／または酸化鉄は除去されることが望まれる。というのは、水酸化鉄および／または酸化鉄が両者の界面付近に存在することで、両者の接触を妨害し、反応を阻害するからである。そこで、本発明では、腐葉土を用いることによって、一種の無酸素状態を作り出し、水酸化鉄および／または酸化鉄を還元して、水酸化鉄および／または酸化鉄が効率よく除去される構造になっている。
【００７８】
本発明において、腐葉土の配置は、鉄材および炭素材から生成する鉄イオンの届く範囲であれば特に制限はされないが、効果的にフルボ酸鉄を生成させるためには、鉄材および炭素材を鉄供給部の中心とし、その外周に腐葉土を配置することが好ましい。
【００７９】
また、腐葉土の外側から、自己収縮性を持つ固縛材で包むこともできる。かかる構成とすることにより、鉄材と炭素材とが安定して常に接触できるからである。なお、本発明における固縛材とは、メッシュ形状をしているゴム材やナイロン製の網であることが好ましいが、例えば、単にゴム紐で留めたり、ナイロン製の糸などで固縛したりすることも含まれる。
その際の鉄材および炭素材の形状は、特に限定されないが、特に鉄材は棒状であることが望ましい。安定して固縛できるからである。
また、円筒状の竹炭の中に鉄線を充填する、あるいは、半月形の竹炭の凹部に鉄線を充填することでも可能である。
【００８０】
［外套材］
本発明は、着卵（幼生の付着含む）部となる外套材を有している。この外套材は、鉄供給材をいれる袋、あるいは容器を兼ねる。そして、貝類の、卵および幼生の付着場所となることができる機能を有していれば、特に適用上の限定はなく、例えば、麻布、ヤシ繊維製布、起毛処理した織物、メッシュ地、繊維間空隙の有る織物および不織布、メッシュ地、タオル、メリヤスおよびニット、電植した織物あるいは不織布などを用いることができる。
外套部は、牡蠣の卵や幼生が付着して足糸が付着しやすいように、足糸と外套部とが交織できることが必要である。そのために、外套部の表面は、平坦、平滑でないことが必要であり、具体的には、凹凸がある、繊維のケバ立ちがある、繊維の露出がある、などの粗の組織を持つことが必要である。
【００８１】
本発明における外套部の素材として、好適なものには、麻布（麻袋）が挙げられる。
と言うのは、麻は、天然素材であるので、使用後の廃棄処置が不要で、安価である。また、麻繊維の径は大きく、麻袋を製造する麻織は、撚り糸を使用しており顕著なケバ立ちを有している。さらに、織布の製造条件によって、緻密にも、空隙の多い織布にも、製造が可能だからである。
なお、使用した麻袋の性状として、以下の事例が挙げられる。
麻袋の大きさ
大；縦：６０ｃｍ×横：３６ｃｍ
小；縦：４９ｃｍ×横：３１ｃｍ
麻袋の質量（縫い糸を含む）
大；２４９．７ｇ
小；１６１．６ｇ
麻袋の布の面積（縫い代分を含む）
大；縦：（６０＋３）ｃｍ×横：｛（３６＋２）×２｝ｃｍ＝０．６３ｍ×０．７６ｍ＝０．４７８８ｍ２
小；縦：（４９＋３＋２）ｃｍ×横：（３１×２）ｃｍ＝０．５４ｍ×０．６２ｍ
＝０．３３４８ｍ２
単位面積当たりの麻布の質量
大：０．２４９７ｋｇ÷０．４７８８ｍ２＝０．５２ｋｇ／ｍ２
小：０．１６１６ｋｇ÷０．３３４８ｍ２＝０．４８ｋｇ／ｍ２
麻布の単位面積当たりの縦糸・横糸  （布地に対して）
大；縦糸  織目：３２目／１０ｃｍ、糸：６４本／１０ｃｍ
横糸  織目：２８目／１０ｃｍ、糸：２８本／１０ｃｍ
小；縦糸  織目：３２目／１０ｃｍ、糸：６５本／１０ｃｍ
横糸  織目：３１目／１０ｃｍ、糸：３１本／１０ｃｍ
麻布の糸の太さ
大；縦糸：０．８〜２ｍｍ、横糸：１〜２ｍｍ
小；縦糸：０．８〜２ｍｍ、横糸：１〜２ｍｍ
麻布の厚さ
大：１．２ｍｍ
小：１ｍｍ
【００８２】
次に、本発明における外套部の素材として、好適なものには、ヤシ繊維製布が挙げられる。
と言うのは、ヤシ繊維は、天然素材であるので、使用後の廃棄処置が不要で、安価であると共に、園芸用、河川工事用、土木工事用等に広く用いられる繊維であるので、水産関係者は好意的に受け入れやすい素材である。また、ヤシ繊維の径は大きく、ヤシ繊維製織物は、撚り糸を使用しており顕著なケバ立ちを有している。さらに、織布の製造条件によって、緻密にも、空隙の多い織布にも、製造が可能だからである。
【００８３】
また、外套部の素材として、好適なものには、起毛処理した織物がある。起毛処理とは、布の表面をひきかいて、毛羽を出す加工であり、必要に応じて、このあとブラッシングにより毛羽の方向をそろえたり、シアリングにより毛羽の長さをそろえたりするものである。
ここに、フランネルやスエードクロス（皮革）が代表的な起毛製品である。起毛により、独特の外観や、柔軟・豊満な風合いが得られると共に、保温性を上げたり、糸や布の組織を隠したり、柄物の輪郭をぼかしたりすることなどの効果が得られる。布を柔らかくする目的のため、裏側を起毛することもある。
【００８４】
さらに、外套部の素材として、好適なものには、繊維間空間の有る織物がある。織物は、糸を経緯に組み合わせて作った布地である。織り方には何種類もあるがほとんどの織物の基礎となる平織り、綾織り、および、しゅす織りを特に三原組織という。
織物製造時に、使用する糸の本数を少なくすれば粗の組織となり、多くすれば密な組織となる。使用する糸の本数および撚り数によって、織物の粗密は異なる。本数が多く、撚りを強くすると、密な織物となる。
そして、本発明では、繊維の密度（カバーファクター）を７０〜９９％程度にしたものを、繊維間空間の有る織物という。
【００８５】
加えて、外套部の素材として好適なものには、不織布がある。不織布は、繊維を織らずに絡み合わせたシート状のものをいう。一般にシート状のものとして代表的な布は、繊維を撚って糸にしたものを織っているが、不織布は繊維を熱・機械的または化学的な作用によって接着または絡み合わせる事で布にしたものを指す。広義には古くから作られていたフェルトを含む。
【００８６】
外套部の素材として、他に好適なものには、タオルがある。タオルは、吸水性や肌触りに特化するため、その多くでは表面にループ状の細かい糸（輪奈）が飛び出している布地で、基となっている布地は粗く通気性に富むものが一般的である。
タオルは、緯糸を織り込む際に、たて糸の一部（パイル糸）を緩めて布地にループ状の部分を形成する。保温性、保湿性、吸水性を高めたものや、パイルが片面のものと両面のものがある。
【００８７】
また、外套部の素材として、他に好適なものには、メリヤスやニットがある。メリヤスとは、メリヤス編みで作った編地・布地、またはそれらの生地を使用した製品を指し、伸縮性に優れた特徴を有しているため、靴下類や下着類、手袋や帽子など日常衣類の多くに利用されている。
ニットとは、やわらかく撚った糸をループの連鎖で編み上げたものの総称である。
なお、本発明では、電植した織物あるいは不織布、人工芝、鬘用に植毛したものも使用可能である。
【００８８】
［ネット］
本発明では、前述したように、フジツボの影響を回避して、牡蠣を付着成長促進材から外すために、不要付着物と貝類との分離用のネット（または、単に、ネットという）を備える。このネットとしては、伸縮性を有する網で、網を構成する糸の１本１本の太さ（径）が１〜５ｍｍであって、網の目間隔が、０．５〜５ｃｍ程度であることが好ましい。
【００８９】
なお、本発明に用いるネットは、次の性質を持つものを用いることもできる。
すなわち、変形しにくい空間を保有することである。この空間の大きさは、５〜５０ｍｍ程度が好ましい。小さすぎると牡蠣の成長が阻害される一方で、大きすぎるとフジツボとの分離効果が低下するからである。
【００９０】
また、ネットの材質は、ポリエチレン、クレモナ、ナイロン、ポリエステル、ポリプロピレンなどが好ましい。
さらに、具体的なネット部の形状としては、平板状、カゴ型および筒型などの形状が好ましい。（図５〜７参照）
【００９１】
ネット部は、糸を編み上げるものと、プラスチック製の糸あるいは棒を接着させるものに大別される。
前者には、結節網（網の節を結んで作っているもの。現在は「かえるまた」という結び方のものが主流である）および無結節網（網の節を撚り合わせて作っているもの。結び目がないため切れにくく軽量で嵩張らない。）がある。
後者には成型網（樹脂を押し出し、延伸等により網の形にしたもの。）がある。
【００９２】
本発明では、ネットとして、成型網を用いることが好ましい。
例えば、トリカルネット（タキロンケミカル（株）製）である。
また、本発明では、ネットとして、三次元的に空間に拡がりをもつ立体ネットも使用できる。立体ネットの大きさや、高さを適宜選択することによって、牡蠣とフジツボとの分離効果を増大させることができる。
【００９３】
立体ネットは、図８に示したようなハニカム構造を持つものが強度的にも好ましい。
［立体ネットの実例（Ｉ）］
立体ネットは、土木工事における地盤安定補助材として使用されている。具体的には、米国デュポン社が地盤安定を目的に開発した特殊不織布製のハニカム構造材（グランドグリッドTM（登録商標））である。グランドグリッドTMの素材は、ポリプロピレン不織布のザバーン(R)（登録商標）で、これを用いた３次元ハニカム構造体で、帯状のザバーン(R)を重ねて拡張時に格子状になるようにポイントで融着されたハニカム構造である。
【００９４】
［立体ネットの実例（ＩＩ）］
寝具あるいはマットとして用いられる立体ネットがある（図９参照）。寝たきり患者の床ずれ防止用、就寝時の体圧の分散用として使用されている。それらを本発明のネットとして使用することも可能である。
さらに、機能性を高めた立体空間内に繊維を配置することで、牡蠣とフジツボとの分離効果を高めることもできる。
【００９５】
［ネットの構造］
上記のようなネットの構造は、目間隔の大きさ、糸の太さおよび糸の断面形状で規定されるが、本発明に好適な目間隔の大きさは、１〜１００ｍｍ程度であり、本発明に好適な糸の太さ（径）は、０．５〜２．８ｍｍ程度であって、本発明に好適な糸の断面形状は、円形、角形（四角形、六角型、五角形など）だけでなく、牡蠣が付着し付着強度が高まるよう凹凸をもたせた異形形状もある。
【００９６】
なお、異形形状は、建物の構造用材料のひとつとして使用されている異形鉄筋と同様の形状をもつ。異形形状には、表面に「リブ」や「節」と呼ばれる凹凸の突起を設けた棒状のものがあり、コイル状に巻いた異形コイル棒もある。
また、立体ネットの厚さは、５ｍｍから１０ｃｍ程度まで好適に用いることができ、牡蠣とフジツボとの成長状況を考慮すると、特に好ましいのは２ｃｍ前後である。
【００９７】
［付着成長促進材の構造］
本発明に従う付着成長促進材の代表的な構造を、図１０（ａ）および（ｂ）に示す。本発明に従う付着成長促進材は、鉄を持続的に溶解するために、炭素材と鉄材との少なくとも一部が接触し、さらに、フルボ酸を供給する腐葉土を有している。そして、腐葉土は、鉄材および炭素材から生成される鉄イオンの届く範囲であれば、その設置位置が特に制限はされない（一例を図１０（ｂ）に示す）が、効果的にフルボ酸鉄を生成させるために、図１０（ａ）に示したように、鉄材および炭素材を鉄供給部の中心とし、その外周に腐葉土を配置することが好ましい。
【００９８】
鉄供給部を入れた外套材の形状は、平板状よりも、円柱状、俵状であることが望まれる。平板状よりも円柱状の方が、成長した牡蠣が周囲の峡雑物の影響を受けることが少なくなるよう、空間部を多くすることができるためである。
【００９９】
麻袋からなる外套材をカバーするネットは、設置時は、接している状態であるが、牡蠣やフジツボの成長によってネットは持ち上げられ、麻袋から離れ、間隙が大となる。麻袋上の付着物の成長とともに、変形することができるネットであることが不可欠である。麻袋とネットとの間隔は、最終的には２ｃｍ程度の隙間が生じることが望ましい。
【０１００】
［牡蠣の付着成長促進メカニズム］
実験から得られた観察結果から、牡蠣の付着成長促進メカニズムおよびフジツボと牡蠣との分離は、次のように考察される。すなわち、図１１（ａ）〜（ｆ）に示す６つのステージによるものと考えられる。
【０１０１】
第１ステージ：牡蠣卵あるいは幼生の接近（図１１（ａ））
本発明に従う付着成長促進材から、フルボ酸鉄（鉄イオン）が溶出し、それを栄養源として、プランクトンが増える。すると、さらにそれを栄養源として牡蠣の成長が促進し、７月末から９月初頭にかけての放卵を促す。
【０１０２】
第２ステージ：牡蠣卵あるいは幼生の付着（図１１（ｂ））
牡蠣の卵あるいは幼生は、外套材の表面付近を遊泳し、外套材の隙間や、凹凸部、毛羽達などに付着する。付着場所は、牡蠣にとって好ましい場所であると認識されるが、牡蠣の付着と共に、フジツボや他の貝類も付着する。フルボ酸鉄によるプラントンの繁茂を受けて、牡蠣だけではなく、貝類や、不要付着物である、フジツボ、藻なども成長する。
【０１０３】
第３ステージ：牡蠣の成長（図１１（ｃ））
外套材に付着した牡蠣の幼生は、付着材から溶出したフルボ酸鉄の効果により増えたプランクトンを栄養源とするため、成長が促進され、幼生から牡蠣へと成長する。その際、牡蠣と麻袋は、牡蠣の足糸で固定されるが、牡蠣の足糸は、粘着性を帯びていて、外套材に強固に付着をする。他方、フジツボは、石灰質の分泌物を接着材として外套材（麻袋）に固定する。  
【０１０４】
第４ステージ：フジツボ等との成長競争（図１１（ｄ））
牡蠣の付着と共に、フジツボ等不要付着物も付着するが、フルボ酸鉄によるプランクトンの繁茂を受けて、牡蠣だけでなく、貝類や、不要付着物である、フジツボ、藻なども成長してしまう。その際、付着生物同士による成長競争が行われる。
他方、牡蠣は、足糸（貝足）によって麻袋あるいは他の付着物と接着されている。フジツボと麻袋との付着力に比べて、足糸の付着力は小さいことから、牡蠣は、フジツボの成長とともに、付着材の外周付近に押し上げられる。
【０１０５】
第５ステージ  ネットへの牡蠣の付着（図１１（ｅ））
フジツボによって上面に押し上げられた牡蠣および貝類は、付着可能物を求め、足糸がネットと絡み始めると、牡蠣全体が褶曲し、ネットに絡みつくように付着して、そのまま牡蠣として成長する。また、貝類も足糸によってネットに付着する。この時期の牡蠣や貝類は、成長しているため、外套材でなくても足糸によって、ネットに付着していることができるのである。そして、効果的なフルボ酸鉄の存在を受け、繁茂になったプランクトンの恩恵によって、牡蠣および貝類の成長はさらに促進される。
牡蠣はより大きく成長できる空間を求め、ネットの外側に付着し成長する。貝は、ネットの内側に付着し成長する。こうして、フジツボと、牡蠣や貝類とが分離される。
【０１０６】
第６ステージ  ネットを取り外した場合（図１１（ｆ））
ネットの片面には牡蠣が、反対面には貝が成長する。また、ネットにフジツボ等不要付着物が付着していても、海中から引き上げて簡単に取り除くことができ、牡蠣の養殖を効果的に進行させることができる。
【０１０７】
さらに、詳述すると、牡蠣が少し成長した（ネットに絡みついた）のち、ネット部を取り外し、ネットのみを、付着成長促進材の鉄イオン溶出範囲内の海中に釣りさげることで、牡蠣および貝類とフジツボ等不要付着物とを分離し、牡蠣の成長を効果的に促進することができる。
また、ネットに付着している食用の貝類は、そのまま付着成長促進材の鉄イオン溶出範囲内の海中につりさげることで、その成長を促進することもできるが、簡単に除去される場合は、カゴあるいはザルなどの他の容器に移設して、付着成長促進材の鉄イオン溶出範囲内の海中につりさげることで、その成長を促進することができる。
このように、ネットは、牡蠣等の成長基材であると共に、牡蠣等以外の不要付着物（フジツボ、非食用貝類、藻等）の分離を可能にする。
【０１０８】
さらに、フジツボは、材料と強固に付着するのが一般的であるが、おどろくべきことに、ネットについたフジツボは、簡単に取り除くことが可能であった。すなわち、今回の実験結果から、仮に、ネットにフジツボが付着したとしても容易に取り除くことができれば、牡蠣の養殖カゴあるいは耳吊り式、延縄式でも、適宜、海中から引き上げて、不要付着物であるフジツボを簡単に除去することが可能となる。
従って、本発明のようにネットを使用することで、新しい養殖技術の提供が可能となる。
【０１０９】
［付着成長促進材の設置例］
本発明に従う付着成長促進材の代表的な設置例を、図１２（ａ）〜（ｅ）に示す。
本発明に従う付着成長促進材は、図１２（ａ）および（ｂ）に示したように、貝類の養殖カゴの中に複数個設置することができる。
また、本発明に従う付着成長促進材は、図１２（ｃ）および（ｄ）に示したように、ネットの周りに複数個設置することができる。
さらに、本発明に従う付着成長促進材は、図１２（ｅ）に示したように、貝類の養殖カゴの外に設置することができる。
【０１１０】
本発明に従う付着材は、上述した設置例の他、汽水域および海中のうち、少なくとも１箇所に設置することで、フルボ酸鉄を鉄錯体として効果的に環境水中に溶出させることができる。
また、本発明の付着材の設置は、その設置水深や、海流、付着材間の最適設置距離などを適宜設定することができる。
さらに、本発明に従う付着材の使用に際しては、海中への吊り下げ方法や、養殖手順、海中からの貝の吊り上げ方法等、上記説明以外の取り扱い条件や手順は、それぞれの常法に依ることができる。
【０１１１】
また、本発明に従う付着材によって、一旦、採苗された牡蠣などの幼生は、付着材から取外して、または、着卵部である外套材ごと取外して、付着材の近傍（付着材からのフルボ酸鉄溶出範囲を意味する）に設置しておくこともできる。そうすることで、付着材（外套材を鉄供給部に更新して取り付ける場合を含む）では、新たな採苗が行われ、フルボ酸鉄の溶出範囲では、プランクトンが効果的に発生するために、養殖効率が向上するからである。
【実施例】
【０１１２】
［実施例１］
〔実験場所〕
実験は、周囲１７ｋｍの汽水湖で実施した。湖の南岸付近、岸から３０ｍ、水深：３ｍ地点に、イカダ（５ｍ×５ｍ）を設置した。そこに付着材を吊り下げ、牡蠣の付着状況を調査した。
【０１１３】
〔設置材料〕
使用した付着材は、鉄材と炭素材とを接触させたものを麻袋に入れ、腐葉土の入っている別の麻袋の中に入れた。麻袋の外周は、高密度ポリエチレン製の漁網でカバーした。
各素材の規格と質量を、下記に示す。
炭素材は、粒状備長炭を１０００ｇ使用した。
鉄材は、結束線（＃２１、径：０．８ｍｍ、長さ：３０ｃｍを折り曲げたもの）を１５００ｇ使用した。  
腐葉土は、アカギ園芸（株）製の広葉樹から作られたものを約６リットル（１１００ｇ）使用した。
麻袋は、バングラデイッシュ産の麻を使用して製造（製造元：（株）くまがい）したものを使用した。一枚の麻袋の大きさは、横幅：３０ｃｍ、縦長さ：５０ｃｍであった。袋一枚の質量は２００ｇ、使用した縦糸、横糸の本数は、１インチ（２．５ｃｍ）あたり８本であった。麻布の単位面積当たりの質量は、０．５２ｋｇ／ｍ２、麻布を構成しているより糸の径は、０．８〜２．０ｍｍであった。
ネットは、トリカルネット（タキロン（株）製、Ｎ２９）であった。材質は、高密度ポリエチレンで、編んでいない角目のプラスチックネットとした。使用したネットの網目ピッチは２５ｍｍ×２５ｍｍとした。色は黒。糸は、縦糸を、糸幅：３．８ｍｍ、糸厚み：３．２ｍｍとし、横糸を、糸幅：４．５ｍｍ、糸厚み：２．９ｍｍとした。また、遮蔽率は３２％であった。また、ネットの大きさは、縦：４３ｃｍ、横：３５ｃｍの袋状とした。
使用した材料を図１３に、イカダから海中につりさげた付着材の外観を図１４に、それぞれ示す。
【０１１４】
〔実験方法〕
実験開始初日、付着材１枚をイカダから吊り下げた。設置位置は、水面から１ｍ下部とした。その後も、１ケ月後に４枚、２ケ月後に４枚、と新規の付着材を、実験開始初日の場合と同様の手順で吊り下げた。
【０１１５】
〔実験結果〕
３ケ月半後、吊り下げてあった付着材を引き上げたところ、牡蠣の付着を確認できた。実験開始初日に設置した付着材にはもっとも多く牡蠣が付着していた（図１５）。しかし、牡蠣の付着は、１ケ月後に設置した付着材にも、２ケ月後に設置した付着材にも確認することができた。
【０１１６】
さらに２週間後、イカダから吊り下げてあった付着材を引き上げて調査を再度実施した。前回から２週間しか経過していないが、付着した牡蠣はさらに成長して大きくなっていた。また、前回よりも付着している牡蠣の数量もさらに増加していた。
【０１１７】
ついで、ネットに付着している牡蠣数を比較した。実験開始初日品の牡蠣数を１００％とすると、１ケ月後に設置した付着材では７０％程度、２ケ月後に設置した付着材では２０％程度の付着牡蠣数であった。
【０１１８】
設置９６日後、実験開始から１ケ月後に設置した付着材を引上げて、実験室に送付し、実験室でさらに調査を行った。
ここで、付着材の質量は、１６．４ｋｇ（水分を含んで）であった。なお、設置前は、４．５ｋｇであった。
【０１１９】
麻袋上にある牡蠣は、ネットに付着していた牡蠣と比べると小ぶりであることが観察された。さらに、流水中に置くと、フジツボは麻袋に強く付着してはがれることはなかったが、牡蠣は容易に除去された。また、牡蠣が麻袋に直接付着していることは少なく、大部分はフジツボの上面に付着していた。
【０１２０】
ネット表面上に露出している牡蠣の付着数を、牡蠣の付着していたネットの一部を切り取って測定した。切り取ったネット（１０ｃｍ×１０ｃｍ）の中には、３０個の牡蠣が付着していた。付着している牡蠣の形状や大きさは、大小様々であった。切り取ったネットに付着していた牡蠣をネットから取り外し、その質量、縦、横の長さを測定した。
以上の測定結果を表３に示す。なお、測定できたのは、付着していた牡蠣３０個の中の１６個であった。残りの１４個は、ネットから取り外す時、予想以上に固く付着していたため、無理に引きはがしたところ破損して測定することができなかったからである。
【０１２１】
【表３】
2017046593.tif 000005
【０１２２】
同表より、１６個の牡蠣の平均質量は、０．９ｇ、牡蠣の大きさの平均は、縦（長さ）：２．３ｃｍ、横（幅）：１．６ｃｍであることが分かる。
【０１２３】
上記した実施例中、ネットに付着していた牡蠣は、ネット材（径：５ｍｍ、高密度ポリエチレン棒）に絡みつくように付着していた。それを取り外そうとすると、牡蠣が破損する例が大半であった。それら、ネット上の牡蠣の様子を図１６に示す。中央上部の黒色断面は、ネットの断面である。断面の右下部、断面の下部、断面の左側には、それぞれ付着している牡蠣が認められる。このように、牡蠣は、ネットの糸を包み込むように変形して、強固に付着していることが分かる。
【０１２４】
さらに、切り取ったネットの付着牡蠣から、ネット全体の牡蠣付着数を推定した。実験に使用しているネットの大きさは、縦：４３．５ｃｍ、横：３５ｃｍであるので、１ケ月後に設置した付着材であっても、片面で約８００個、両面合わせると約１６００個もの牡蠣が付着している結果となった。
また、最も牡蠣の付着が多かった実験開始初日に設置した付着材には、１ケ月後に設置した付着材の場合よりも１．２５倍多い、片面で１０００個、両面で２０００個の牡蠣が付着したことになる。
【０１２５】
ここで、付着材の側面部には、大きな牡蠣が多数、付着していた。これは、付着材の中央平面部では、牡蠣やフジツボが密集状態となっていて、牡蠣は大きく成長できない一方で、側面部の空間部が多い場所では、牡蠣の成長が容易になったことによるものと考えられる。
【０１２６】
次いで、付着材に付着し成長した牡蠣の中からランダムに５個採取し、寸法および質量を求めた。測定結果を、表４に示す。
【０１２７】
【表４】
2017046593.tif 000006
【０１２８】
同表より、最大質量の牡蠣は、２．２ｇであることが分かる。この牡蠣は、実験開始から１ケ月後に設置した付着材から採取したもので、その頃水中を浮遊していた幼生が付着し、成長したものであるが、これは、従来のホタテガイの貝殻を用いた採苗方法では全く認められなかった現象である。
【０１２９】
さらに、付着材をカバーしていたネットを引きはがすと、麻袋には、厚さ：２ｃｍほどの付着物層があった。この中には、フジツボ、巻き貝、二枚貝などと一緒に、牡蠣も多数存在していた。牡蠣数は約１０００個、両面では２０００個であった。この付着材のネットには１６００個の牡蠣が付着していたので、麻袋の２０００個と合わせると、一つの付着材で３６００個の牡蠣が付着している結果になる。また、同様に、実験開始初日に設置した付着材には、４５００個の牡蠣が付着していたと推定される。
設置月ごとの推定牡蠣数を表５に示す。
【０１３０】
【表５】
2017046593.tif 000007
【０１３１】
同表より、実験開始後２ケ月経ってから設置した付着材であっても、１０００個近い牡蠣の付着が推定できることが分かる。
【０１３２】
また、麻袋に付着している牡蠣の様子を実体顕微鏡で観察した。牡蠣からは細い糸状の繊維が、牡蠣と麻袋あるいは牡蠣と他の付着物とを連結していた。その様子を図１７および図１８に示す。
【０１３３】
［実施例２］
実施例１に記載した付着成長促進材には、大量の牡蠣の付着が確認された。そこで、さらに、付着物を詳細に検討するべく、実験開始後１年５ケ月後に、水中から引き上げ、付着成長促進材からネットを取り外した。
ネットには、牡蠣だけでなく、二枚貝の付着が見られた。
上記二枚貝の付着は、ネットの外側の表面には少なく、内側（麻袋側）の方に多くみられた。内側にあった二枚貝の個数は、１０ｃｍ×１０ｃｍの中に約１５個、ネット全体としては約２５０個であった。なお、付着成長促進材からネットを取り外す１ケ月半ほど前に、付着成長促進材からネットを引きはがしたところ、牡蠣とフジツボの存在は見られたが、二枚貝の存在はなかったことを確認している。
貝の付着状況を図１９（ａ）および（ｂ）に示す。
【０１３４】
上記付着成長促進材において、牡蠣はネットの外側、二枚貝はネットの内側に多く付着していた。二枚貝の名称は不明であるが、形状や模様から推定すると赤貝の一種かと思われる。
【０１３５】
上記の現象を考察すると、以下のようになると考えられる。
すなわち、二枚貝の卵は、牡蠣の卵と共に麻袋に付着し、幼生を経て成長したが、フジツボも麻袋に付着していた。そして、牡蠣、二枚貝およびフジツボの間で成長競争が行われたが、フジツボは麻袋と強固に付着して成長した。その結果、牡蠣や二枚貝は、当初、貝足によって麻袋に付着しているものの、フジツボの成長によって、麻袋から剥がされるように、付着材外部に押し出されることになる。ここで、牡蠣は大きく成長するために、広い空間を求めて移動し、主としてネットの外側に付着するのに対して、二枚貝は、そこまで空間を必要としないので、ネットの内側に付着したと考えられる。
従って、ネットの目の大きさを適宜選定することによって、不要付着物との分離のみならず、牡蠣と貝類との適正な分離が可能となることが分かった。
【０１３６】
なお、上述していないその他の実施形態として、例えば、炭素材を、炭素繊維強化プラスチック、膨張黒鉛シート、木炭、黒鉛材および竹炭、炭素系導電性塗料のうちから選んで用いたり、外套材を、ヤシ繊維製布や、起毛処理した織物、繊維間空隙の有る織物、不織布、タオル、メリヤス、ニット、メッシュ地のうちから選んで用いたりしても、上記の実施例同様の、優れた貝類の卵や貝類の幼生を付着して成長を促進させる、という効果を有している。
【０１３７】
また、本発明は、炭素材と鉄材との少なくとも一部が接触していることが重要であり、その形状や接触態様は、付着材の実際の設置条件によって、適宜変更できることは言うまでもない。
【産業上の利用可能性】
【０１３８】
本発明に従う付着材を利用することによって、安全性が高く、経済性に優れると同時に、採苗効率が極めて高いと同時に、不要付着物も簡単に除去できるため、従来自然採苗ができなかった地域を、貝類の卵等の付着場所とすることができると共に、極めて安定、安全、円滑な貝類の養殖を行うことができる。
【図５】
2017046593.tif 000008
【図６】
2017046593.tif 000009
【図７】
2017046593.tif 000010
【図８】
2017046593.tif 000011
【図１０】
2017046593.tif 000012
【図１】
2017046593.tif 000013
【図２】
2017046593.tif 000014
【図３】
2017046593.tif 000015
【図４】
2017046593.tif 000016
【図９】
2017046593.tif 000017
【図１１】
2017046593.tif 000018
【図１２】
2017046593.tif 000019
【図１３】
2017046593.tif 000020
【図１４】
2017046593.tif 000021
【図１５】
2017046593.tif 000022
【図１６】
2017046593.tif 000023
【図１７】
2017046593.tif 000024
【図１８】
2017046593.tif 000025
【図１９】
2017046593.tif 000026